【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
第１の持続時間を有する第１の送信時間間隔（ＴＴＩ）の間にデータ送信を受信することと、
前記第１の持続時間よりも大きい第２の持続時間を有する第３のＴＴＩの間に追加のデータ送信を受信することと、
前記第２の持続時間を有する第２のＴＴＩの間に制御メッセージを送信することと、ここにおいて、前記制御メッセージが、前記データ送信のための確認応答情報と前記追加のデータ送信のための確認応答情報とを備え、前記制御メッセージが、前記第１の持続時間をもつＴＴＩの間の前記データ送信に対応する第１のフィールドと、前記第２の持続時間をもつＴＴＩの間の前記データ送信に対応する第２のフィールドとを含み、ビットの第１の数とビットの第２の数との和が、前記制御メッセージ中の前記確認応答情報のために利用可能なビットの総数に等しい、
を備えるワイヤレス通信の方法。
【請求項２】
複数のデータ送信を受信することと、ここにおいて、前記複数のうちの各データ送信が、前記第１の持続時間をもつＴＴＩの間に受信される、
前記制御メッセージ中の前記確認応答情報のために利用可能なビットの数を識別することと、ここにおいて、ビットの前記数が、前記複数のデータ送信の数よりも小さい、
をさらに備える、請求項１に記載の方法。
【請求項３】
前記複数のデータ送信のうちの各データ送信のための復号インジケータを備えるシーケンスを識別することと、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮することと
をさらに備える、請求項２に記載の方法。
【請求項４】
前記制御メッセージが、前記サブシーケンスの前記開始インデックスのインジケータと、前記サブシーケンスの前記ランレングスのインジケータとを備える、請求項３に記載の方法。
【請求項５】
前記制御メッセージが、前記サブシーケンスの前記ランレングスのインジケータを備え、ここにおいて、前記サブシーケンスの前記開始インデックスが、ダウンリンク制御メッセージのロケーションに対応する、請求項３に記載の方法。
【請求項６】
前記第１の持続時間を有するＴＴＩの間にダウンリンク制御メッセージを受信することと、
前記ダウンリンク制御メッセージに少なくとも部分的に基づいて、前記制御メッセージの送信のための前記第２のＴＴＩを識別することと
をさらに備える、請求項１に記載の方法。
【請求項７】
無線リソース制御（ＲＲＣ）構成に少なくとも部分的に基づいて、前記制御メッセージの送信のための前記第２のＴＴＩを識別すること
をさらに備える、請求項１に記載の方法。
【請求項８】
チャネル状態に少なくとも部分的に基づいて、前記制御メッセージの送信のための前記第２のＴＴＩを識別すること
をさらに備える、請求項１に記載の方法。
【請求項９】
請求項１乃至８に定義された方法のうちの任意の１つのステップを行うように構成された、コンピュータプログラム製品。
【請求項１０】
第１の持続時間を有する第１の送信時間間隔（ＴＴＩ）の間にデータ送信を受信するための手段と、
前記第１の持続時間よりも大きい第２の持続時間を有する第３のＴＴＩの間に追加のデータ送信を受信するための手段と、
前記第２の持続時間を有する第２のＴＴＩの間に制御メッセージを送信するための手段と、ここにおいて、前記制御メッセージが、前記データ送信のための確認応答情報と前記追加のデータ送信のための確認応答情報とを備え、前記制御メッセージが、前記第１の持続時間をもつＴＴＩの間の前記データ送信に対応する第１のフィールドと、前記第２の持続時間をもつＴＴＩの間の前記データ送信に対応する第２のフィールドとを含み、ビットの第１の数とビットの第２の数との和が、前記制御メッセージ中の前記確認応答情報のために利用可能なビットの総数に等しい、
を備えるワイヤレス通信のための装置。
【請求項１１】
複数のデータ送信を受信するための手段と、ここにおいて、前記複数のうちの各データ送信が、前記第１の持続時間をもつＴＴＩの間に受信される、
前記制御メッセージ中の前記確認応答情報のために利用可能なビットの数を識別するための手段と、ここにおいて、ビットの前記数が、前記複数のデータ送信の数よりも小さい、
をさらに備える、請求項１０に記載の装置。
【請求項１２】
前記複数のデータ送信のうちの各データ送信のための復号インジケータを備えるシーケンスを識別するための手段と、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮するための手段と
をさらに備える、請求項１１に記載の装置。
【請求項１３】
前記制御メッセージが、前記サブシーケンスの前記開始インデックスのインジケータと、前記サブシーケンスの前記ランレングスのインジケータとを備える、請求項１２に記載の装置。
【請求項１４】
前記制御メッセージが、前記サブシーケンスの前記ランレングスのインジケータを備え、ここにおいて、前記サブシーケンスの前記開始インデックスが、ダウンリンク制御メッセージのロケーションに対応する、請求項１２に記載の装置。
【請求項１５】
前記第１の持続時間を有するＴＴＩの間にダウンリンク制御メッセージを受信するための手段と、
前記ダウンリンク制御メッセージに少なくとも部分的に基づいて、前記制御メッセージの送信のための前記第２のＴＴＩを識別するための手段と
をさらに備える、請求項１０に記載の装置。
【手続補正２】
【補正対象書類名】明細書
【補正対象項目名】０１５５
【補正方法】変更
【補正の内容】
【０１５５】
[0167]  添付の図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
以下に本願の出願当初の特許請求の範囲に記載された発明を付記する。
［Ｃ１］
第１の持続時間を有する第１の送信時間間隔（ＴＴＩ）の間にデータ送信を受信することと、
前記第１の持続時間よりも大きい第２の持続時間を有する第２のＴＴＩの間に制御メッセージを送信することと、ここにおいて、前記制御メッセージが、前記データ送信のための確認応答情報を備える、
を備えるワイヤレス通信の方法。
［Ｃ２］
第３のＴＴＩの間に追加のデータ送信を受信することをさらに備え、ここにおいて、前記制御メッセージが、前記追加のデータ送信のための確認応答情報を備える、
Ｃ１に記載の方法。
［Ｃ３］
前記第３のＴＴＩが前記第２の持続時間を有する、Ｃ２に記載の方法。
［Ｃ４］
前記制御メッセージのビットが、前記データ送信のための前記確認応答情報と、前記追加のデータ送信のための前記確認応答情報とに対応する、Ｃ３に記載の方法。
［Ｃ５］
前記制御メッセージが、前記第１の持続時間をもつＴＴＩの間のデータ送信に対応する第１のフィールドと、前記第２の持続時間をもつＴＴＩの間のデータ送信に対応する第２のフィールドとを備える、Ｃ３に記載の方法。
［Ｃ６］
前記第１のフィールドのためのビットの第１の数と、前記第２のフィールドのためのビットの第２の数とを識別することをさらに備え、ここにおいて、ビットの前記第１の数とビットの前記第２の数との和が、前記制御メッセージ中の前記確認応答情報のために利用可能なビットの総数に等しい、
Ｃ５に記載の方法。
［Ｃ７］
複数のデータ送信を受信することと、ここにおいて、前記複数のうちの各データ送信が、前記第１の持続時間をもつＴＴＩの間に受信される、
前記制御メッセージ中の前記確認応答情報のために利用可能なビットの数を識別することと、ここにおいて、ビットの前記数が、前記複数のデータ送信の数よりも小さい、
をさらに備える、Ｃ１に記載の方法。
［Ｃ８］
前記複数のデータ送信のうちの各データ送信のための復号インジケータを備えるシーケンスを識別することと、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮することと
をさらに備える、Ｃ７に記載の方法。
［Ｃ９］
前記制御メッセージが、前記サブシーケンスの前記開始インデックスのインジケータと、前記サブシーケンスの前記ランレングスのインジケータとを備える、Ｃ８に記載の方法。
［Ｃ１０］
前記制御メッセージが、前記サブシーケンスの前記ランレングスのインジケータを備え、ここにおいて、前記サブシーケンスの前記開始インデックスが、ダウンリンク制御メッセージのロケーションに対応する、Ｃ８に記載の方法。
［Ｃ１１］
前記第１の持続時間を有する第３のＴＴＩの間にダウンリンク制御メッセージを受信することと、
前記ダウンリンク制御メッセージに少なくとも部分的に基づいて、前記制御メッセージの送信のための前記第２のＴＴＩを識別することと
をさらに備える、Ｃ１に記載の方法。
［Ｃ１２］
無線リソース制御（ＲＲＣ）構成に少なくとも部分的に基づいて、前記制御メッセージの送信のための前記第２のＴＴＩを識別すること
をさらに備える、Ｃ１に記載の方法。
［Ｃ１３］
チャネル状態に少なくとも部分的に基づいて、前記制御メッセージの送信のための前記第２のＴＴＩを識別すること
をさらに備える、Ｃ１に記載の方法。
［Ｃ１４］
ワイヤレス通信のための装置であって、
プロセッサと、
前記プロセッサと電子通信しているメモリと、
前記メモリに記憶され、前記プロセッサによって実行されたとき、前記装置に、
第１の持続時間を有する第１の送信時間間隔（ＴＴＩ）の間にデータ送信を受信することと、
前記第１の持続時間よりも大きい第２の持続時間を有する第２のＴＴＩの間に制御メッセージを送信することと、ここにおいて、前記制御メッセージが、前記データ送信のための確認応答情報を備える、
を行わせるように動作可能な命令と
を備える、装置。
［Ｃ１５］
前記命令は、前記装置に、
第３のＴＴＩの間に追加のデータ送信を受信することを行わせるように動作可能であり、ここにおいて、前記制御メッセージが、前記追加のデータ送信のための確認応答情報を備える、
Ｃ１４に記載の装置。
［Ｃ１６］
前記第３のＴＴＩが前記第２の持続時間を有する、Ｃ１５に記載の装置。
［Ｃ１７］
前記制御メッセージのビットが、前記データ送信のための前記確認応答情報と、前記追加のデータ送信のための前記確認応答情報とに対応する、Ｃ１６に記載の装置。
［Ｃ１８］
前記制御メッセージが、前記第１の持続時間をもつＴＴＩの間のデータ送信に対応する第１のフィールドと、前記第２の持続時間をもつＴＴＩの間のデータ送信に対応する第２のフィールドとを備える、Ｃ１６に記載の装置。
［Ｃ１９］
前記命令は、前記装置に、
前記第１のフィールドのためのビットの第１の数と、前記第２のフィールドのためのビットの第２の数とを識別することを行わせるように動作可能であり、ここにおいて、ビットの前記第１の数とビットの前記第２の数との和が、前記制御メッセージ中の前記確認応答情報のために利用可能なビットの総数に等しい、
Ｃ１８に記載の装置。
［Ｃ２０］
前記命令は、前記装置に、
複数のデータ送信を受信することと、ここにおいて、前記複数のうちの各データ送信が、前記第１の持続時間をもつＴＴＩの間に受信される、
前記制御メッセージ中の前記確認応答情報のために利用可能なビットの数を識別することと、ここにおいて、ビットの前記数が、前記複数のデータ送信の数よりも小さい、
を行わせるように動作可能である、Ｃ１４に記載の装置。
［Ｃ２１］
前記命令は、前記装置に、
前記複数のデータ送信のうちの各データ送信のための復号インジケータを備えるシーケンスを識別することと、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮することと
を行わせるように動作可能である、Ｃ２０に記載の装置。
［Ｃ２２］
前記制御メッセージが、前記サブシーケンスの前記開始インデックスのインジケータと、前記サブシーケンスの前記ランレングスのインジケータとを備える、Ｃ２１に記載の装置。
［Ｃ２３］
前記制御メッセージが、前記サブシーケンスの前記ランレングスのインジケータを備え、ここにおいて、前記サブシーケンスの前記開始インデックスが、ダウンリンク制御メッセージのロケーションに対応する、Ｃ２１に記載の装置。
［Ｃ２４］
前記命令が、前記装置に、
前記第１の持続時間を有する第３のＴＴＩの間にダウンリンク制御メッセージを受信することと、
前記ダウンリンク制御メッセージに少なくとも部分的に基づいて、前記制御メッセージの送信のための前記第２のＴＴＩを識別することと
を行わせるように動作可能である、Ｃ１４に記載の装置。
［Ｃ２５］
前記命令が、前記装置に、
無線リソース制御（ＲＲＣ）構成に少なくとも部分的に基づいて、前記制御メッセージの送信のための前記第２のＴＴＩを識別すること
を行わせるように動作可能である、Ｃ１４に記載の装置。
［Ｃ２６］
前記命令が、前記装置に、
チャネル状態に少なくとも部分的に基づいて、前記制御メッセージの送信のための前記第２のＴＴＩを識別すること
を行わせるように動作可能である、Ｃ１４に記載の装置。
［Ｃ２７］
第１の持続時間を有する第１の送信時間間隔（ＴＴＩ）の間にデータ送信を受信するための手段と、
前記第１の持続時間よりも大きい第２の持続時間を有する第２のＴＴＩの間に制御メッセージを送信するための手段と、ここにおいて、前記制御メッセージが、前記データ送信のための確認応答情報を備える、
を備えるワイヤレス通信のための装置。
［Ｃ２８］
第３のＴＴＩの間に追加のデータ送信を受信するための手段をさらに備え、ここにおいて、前記制御メッセージが、前記追加のデータ送信のための確認応答情報を備える、
Ｃ２７に記載の装置。
［Ｃ２９］
前記第３のＴＴＩが前記第２の持続時間を有する、Ｃ２８に記載の装置。
［Ｃ３０］
前記制御メッセージのビットが、前記データ送信のための前記確認応答情報と、前記追加のデータ送信のための前記確認応答情報とに対応する、Ｃ２９に記載の装置。
［Ｃ３１］
前記制御メッセージが、前記第１の持続時間をもつＴＴＩの間のデータ送信に対応する第１のフィールドと、前記第２の持続時間をもつＴＴＩの間のデータ送信に対応する第２のフィールドとを備える、Ｃ２９に記載の装置。
［Ｃ３２］
前記第１のフィールドのためのビットの第１の数と、前記第２のフィールドのためのビットの第２の数とを識別するための手段をさらに備え、ここにおいて、ビットの前記第１の数とビットの前記第２の数との和が、前記制御メッセージ中の前記確認応答情報のために利用可能なビットの総数に等しい、
Ｃ３１に記載の装置。
［Ｃ３３］
複数のデータ送信を受信するための手段と、ここにおいて、前記複数のうちの各データ送信が、前記第１の持続時間をもつＴＴＩの間に受信される、
前記制御メッセージ中の前記確認応答情報のために利用可能なビットの数を識別するための手段と、ここにおいて、ビットの前記数が、前記複数のデータ送信の数よりも小さい、
をさらに備える、Ｃ２７に記載の装置。
［Ｃ３４］
前記複数のデータ送信のうちの各データ送信のための復号インジケータを備えるシーケンスを識別するための手段と、ここにおいて、前記シーケンスが、復号失敗インジケータのサブシーケンスを備える、
前記サブシーケンスの開始インデックスと、前記サブシーケンスのランレングスとに少なくとも部分的に基づいて、前記シーケンスを圧縮するための手段と
をさらに備える、Ｃ３３に記載の装置。
［Ｃ３５］
前記制御メッセージが、前記サブシーケンスの前記開始インデックスのインジケータと、前記サブシーケンスの前記ランレングスのインジケータとを備える、Ｃ３４に記載の装置。
［Ｃ３６］
前記制御メッセージが、前記サブシーケンスの前記ランレングスのインジケータを備え、ここにおいて、前記サブシーケンスの前記開始インデックスが、ダウンリンク制御メッセージのロケーションに対応する、Ｃ３４に記載の装置。
［Ｃ３７］
前記第１の持続時間を有する第３のＴＴＩの間にダウンリンク制御メッセージを受信するための手段と、
前記ダウンリンク制御メッセージに少なくとも部分的に基づいて、前記制御メッセージの送信のための前記第２のＴＴＩを識別するための手段と
をさらに備える、Ｃ２７に記載の装置。
［Ｃ３８］
無線リソース制御（ＲＲＣ）構成に少なくとも部分的に基づいて、前記制御メッセージの送信のための前記第２のＴＴＩを識別するための手段
をさらに備える、Ｃ２７に記載の装置。
［Ｃ３９］
チャネル状態に少なくとも部分的に基づいて、前記制御メッセージの送信のための前記第２のＴＴＩを識別するための手段
をさらに備える、Ｃ２７に記載の装置。
［Ｃ４０］
ワイヤレス通信のためのコードを記憶する非一時的コンピュータ可読媒体であって、前記コードは、
第１の持続時間を有する第１の送信時間間隔（ＴＴＩ）の間にデータ送信を受信することと、
前記第１の持続時間よりも大きい第２の持続時間を有する第２のＴＴＩの間に制御メッセージを送信することと、ここにおいて、前記制御メッセージが、前記データ送信のための確認応答情報を備える、
を行うために実行可能な命令を備える、非一時的コンピュータ可読媒体。